(57)【特許請求の範囲】
【請求項１】
一端に塵埃を吸引し断面形状が略長方形である吸込口を、他端に掃除機本体側と連通接続される接続口を有し、前記吸込口を前記接続口に対して開口面積を小さく形成したアタッチメントと、前記アタッチメントを保持する保持体とを備え、前記アタッチメントの長手方向の長辺面を、延長管の外郭側に位置させて保持し、前記延長管の外郭に、前記保持体を保持する保持部を形成すると共に、前記延長管の床ノズル側に前記アタッチメントの吸込口側を保持する前保持部を形成し、前記前保持部は、床ノズル側から前記吸込口側に向かって、徐々に前記延長管の外郭から突出して前記吸込口を保持するように構成した電気掃除機。
【発明の詳細な説明】
【０００１】
【発明の属する技術分野】
本発明は、掃除機本体、ホース、延長管などにアタッチメントを着脱自在に保持した電気掃除機に関するものである。
【０００２】
【従来の技術】
従来、この種のアタッチメントの保持構成は、特開平６−２１７９０６号公報、特開平８−１４０９０３号公報、特開２００１−１５７６５１号公報などに示されているように保持部に対してアタッチメントの吸込口の短辺方向を保持する構成が一般的であった。
【０００３】
以下、図１１〜図１４に従って説明する。
【０００４】
１は後部に吸引力を発生させるモーター２と、前部に吸込んだ塵埃を集積する集塵袋３を着脱自在に取着する集塵室４を有した掃除機本体（以下本体という）であり、前記集塵室４の前方に形成された吸気口５と連通してホース６の接続パイプ７、先端パイプ８、延長管９を介して床ノズル１０が接続されている。
【０００５】
１１は一端に吸込口１２を、他端に接続口１３を有し、窓のサッシ、家具間の隙間などを掃除するために接続口１３に対して、吸込口１２の開口面積が略長方形状に細く絞られたアタッチメントである。また、接続口１３の外周は略円形状であり、先端パイプ８、延長管９の接続部の内周と嵌合するようになっている。
【０００６】
前記アタッチメント１１を使用しない時のアタッチメント１１の保持手段として図１２に示すように本体１後面に凹部１４を形成し、係合リブＡ１５によってアタッチメント１１を保持したり、図１３に示すように本体１天面にホルダー１６を取付けられる構成にし、前記ホルダー１６にアタッチメント１１を吸込口１２の短辺面１７が本体１側に対向して保持したり、図１４に示すように先端パイプ８の下方に形成した係合リブＢ１８、係合リブＣ１９にアタッチメント１１を吸込口１２の短辺面１７が先端パイプ８側に対向して保持していた。
【０００７】
【発明が解決しようとする課題】
しかしながら、上記従来構成のアタッチメント１１の保持構成である本体１後面凹部１４に保持した場合には、アタッチメント１１の着脱時に本体１後面まで手を伸ばす必要があり、着脱操作がやりにくいものであった。そこでアタッチメント１１を本体１天面や先端パイプ８部に保持する構成が近年一般的になっているが、アタッチメント１１を吸込口１２の短辺面１７が本体１や先端パイプ８側に対向して保持しているため、掃除中に机や壁などにアタッチメント１１があたり、机や壁などを傷付ける恐れがあるとともにアタッチメント１１が外れやすい、また、アタッチメント１１に指を引掛けにくいため、アタッチメント１１外しにくいなど、使い勝手が悪いという課題を有していた。
【０００８】
本発明は、上記課題を解消するもので、保持したアタッチメントが使用時に外れにくく、アタッチメントを使用する時には外しやすい、また、被掃除面を傷付けにくく、使用性の高い電気掃除機を提供することを目的としている。
【０００９】
【課題を解決するための手段】
上記目的を達成するために本発明は、一端に塵埃を吸引し断面形状が略長方形である吸込口を、他端に掃除機本体側と連通接続される接続口を有し、前記吸込口を前記接続口に対して開口面積を小さく形成したアタッチメントと、前記アタッチメントを保持する保持体とを備え、前記アタッチメントの長手方向の長辺面を、延長管の外郭側に位置させて保持し、前記延長管の外郭に、前記保持体を保持する保持部を形成すると共に、前記延長管の床ノズル側に前記アタッチメントの吸込口側を保持する前保持部を形成し、前記前保持部は、床ノズル側から前記吸込口側に向かって、徐々に前記延長管の外郭から突出して前記吸込口を保持するように構成したもので、掃除機本体、ホース、延長管などの外郭からのアタッチメントの突出代が小さいため、掃除中に机や壁などにあたりにくくなり、机や壁などに傷をつける恐れが少なくなり、また、アタッチメントが保持部から外れることが少なくなる。さらには、吸込口の長辺面に指が引掛けやすく、アタッチメントを取り外し易くなり、使用性の向上が図れるとともに、被掃除面への傷付き防止が図れるものである。また、アタッチメントの吸込口への突っかかりが防止でき、机や壁などに傷をつける恐れが少なくなり、また、アタッチメントが保持部から外れることが少なくなり、さらなる使用性の向上が図れるものである。
【００１０】
【発明の実施の形態】
本発明の請求項１に記載の発明は、一端に塵埃を吸引し断面形状が略長方形である吸込口を、他端に掃除機本体側と連通接続される接続口を有し、前記吸込口を前記接続口に対して開口面積を小さく形成したアタッチメントと、前記アタッチメントを保持する保持体とを備え、前記アタッチメントの長手方向の長辺面を、延長管の外郭側に位置させて保持し、前記延長管の外郭に、前記保持体を保持する保持部を形成すると共に、前記延長管の床ノズル側に前記アタッチメントの吸込口側を保持する前保持部を形成し、前記前保持部は、床ノズル側から前記吸込口側に向かって、徐々に前記延長管の外郭から突出して前記吸込口を保持するように構成したもので、掃除機本体、ホース、延長管などの外郭からのアタッチメントの突出代が小さいため、掃除中に机や壁などにあたりにくくなり、机や壁などに傷をつける恐れが少なくなり、また、アタッチメントが保持部から外れることが少なくなる。さらには、吸込口の長辺面に指が引掛けやすく、アタッチメントを取り外し易くなり、使用性の向上が図れるとともに、被掃除面への傷付き防止が図れるものである。また、アタッチメントの吸込口への突っかかりが防止でき、机や壁などに傷をつける恐れが少なくなり、また、アタッチメントが保持部から外れることが少なくなり、さらなる使用性の向上が図れるものである。
【００１１】
【実施例】
（参考例１）
以下、本発明の第１の参考例について図１〜図４を用いて説明する。
【００１２】
２１は前側に吸引された塵埃を集積する集塵袋２２を配置した集塵室２３、後方に塵埃を吸引する吸引風を発するモーター２４などを有する掃除機本体（以下、本体という）である。２５はホース２６の接続パイプ２７、先端パイプ２８、延長管２９を介して前記本体２１の集塵室２３と連通した床ノズルである。３０は一端に吸込口３１を有し、他端に前記ホース２６の先端パイプ２７の接続部Ａ３２や延長管２８の接続部Ｂ３３に接続される管状の接続口３４を形成したアタッチメントであり、このアタッチメント３０は吸込口３１側を接続口３４に比してその内部断面積を絞り、前記吸込口３１の断面を略長方形として形成している。３５は一端を開口した開口部３６を有し、他端に係合リブＤ３７を形成した保持体であり、前記延長管２９の先端パイプ２８側の下面部に形成した保持部３８と係合リブＤ３７が着脱自在に係合する構成となっている。また、前記開口部３６はアタッチメント３０の接続口３４を係合して保持し、延長管２９の保持部３８に取り付けた時にアタッチメント３０は吸込口３１の長辺面３９が延長管２９の外郭に対向し、吸込口３１の先端が延長管２９の外郭に当接するように保持部３８に対して係合リブＤ３７が一定の角度（θ１）を有している。
【００１３】
上記構成による作用は以下の通りである。
【００１４】
床ノズル２５を使用して掃除を行う時には、本体２１にホース２６を接続し、先端パイプ２８の接続部Ａ３２に延長管２９を接続し、接続部Ｂ３３に床ノズル２５を接続してモーター２４の吸引力によって床面上の塵埃を床ノズル２５から吸込み、延長管２９、ホース２６を介して本体２１の集塵室２３に配置した集塵袋２２内に集塵していく。
【００１５】
この時、アタッチメント３０は使用しないので延長管２９の保持部３８に取り付けた保持体３５に保持して収納しておく。アタッチメント３０は前方に吸込口３１を位置させてその長辺面３９を延長管２９面に対向させ、かつ、吸込口３１端部が延長管２９面と当接していることにより、延長管２９面からの吸込口３１の突出代（ｈ１）が小さく、掃除中に机や壁などに突っかかったり、あたりにくいため、アタッチメント３０が外れにくいとともに被掃除面を傷付けることがない。また、掃除中に机や壁などにあたったときにもアタッチメント３０の延長管２９面からの突出代が前方から徐々に大きくなることにより、突っかかりにくく、アタッチメント３０の長辺面３９を滑るように力が働くため、アタッチメント３０が外れにくいとともに被掃除面を傷付けることがない。さらには、アタッチメント３０の幅（Ｗ１）が延長管２９の幅（Ｗ２）よりも小さいため、横からもアタッチメント３０に触れにくく、掃除中にアタッチメント３０が外れるのを防止している。また、延長管２９は略円筒形で構成されており、図４に示すようにアタッチメント３０の吸込口３１との間に空間Ａ４０が形成され、アタッチメント３０の着脱時に吸込口３１の長辺面３９に指を引っ掛けることができ、アタッチメント３０の着脱が容易にできるものである。
【００１６】
（参考例２）
次に本発明の第２の参考例について図５を用いて説明する。なお、上記第１の参考例と同一構成部品については同一符号を付して、その説明を省略する。
【００１７】
保持体３５の係合リブＤ３７の角度（θ２）をアタッチメント３０の吸込口３１が延長管２９面に圧接するように構成している。
【００１８】
上記構成による作用は以下の通りである。
【００１９】
保持体３５により吸込口３１が延長管２９面に圧接するように取り付けられることにより、吸込口３１が常に延長管２９側に押しつけられ、接続口３４のみの保持でも確実に吸込口３１の保持が行え、吸込口３１の保持構成が不要となり、保持構成が簡素化されるとともに保持部による被掃除面への傷付けを低減することができる。また、延長管２９面からの吸込口３１の突出代（ｈ２）がさらに小さくなり、より被掃除面への傷付けを低減することができる。
【００２０】
（参考例３）
次に本発明の第３の参考例について図６を用いて説明する。なお、上記第１、２の参考例と同一構成部品については同一符号を付して、その説明を省略する。
【００２１】
保持体３５に保持部３８と係合する角度が異なる接続体Ａ４１、接続体Ｂ４２、接続体Ｃ４３を形成している。
【００２２】
上記構成による作用は以下の通りである。
【００２３】
保持部３８と係合する角度が異なる接続体Ａ４１、接続体Ｂ４２、接続体Ｃ４３を使い分けることにより、長さや形状などの異なるアタッチメント３０が取り付け可能となり、使用性と共用性の向上が図れるものである。
【００２４】
（実施例１）
次に本発明の第１の実施例について、図７を用いて説明する。なお、上記第１〜第３の参考例と同一構成部品については同一符号を付して、その説明を省略する。
【００２５】
保持体３５の係合リブＤ３７の角度をアタッチメント３０の吸込口３１を保持する前保持部４４が延長管２９の床ノズル２５側に形成されており、前記前保持部４４は床ノズル２５側から吸込口３１側に向かって徐々に延長管２９面から突出して吸込口３１を保持するように構成されている。
【００２６】
上記構成による作用は以下の通りである。
【００２７】
掃除中にアタッチメント３０に机や壁などが当る時には、延長管２９の外郭にあたって前保持部４４の床ノズル２５側から吸込口３１側にあたるがこの面がアタッチメント３０に向かって徐々に延長管２９面から突出する構成になっているため、前保持部４４、アタッチメント３０ともに突っかかることなく、また、被掃除面を傷付けにくくなるものである。
【００２８】
（参考例４）
次に本発明の第４の参考例について、図８を用いて説明する。なお、上記第１〜第３の参考例、あるいは第１の実施例と同一構成部品については同一符号を付して、その説明を省略する。
【００２９】
延長管２９のアタッチメント３０の吸込口３１が位置する箇所に吸込口３１先端の厚さ（Ｈ）よりも大きい凹部４５が構成されているとともに前記凹部４５内に吸込口３１先端と係合する前保持部４４を形成している。
【００３０】
上記構成による作用は以下の通りである。
【００３１】
吸込口３１先端が延長管２９面から突出しないことにより、アタッチメント３０に突っかかる恐れがなく、アタッチメント３０が外れにくいとともに被掃除面を傷付ける恐れがなく、また、前保持部４４によって吸込口３１先端が保持されることにより、より確実にアタッチメント３０の保持が行えるものである。
【００３２】
（参考例５）
次に本発明の第５の参考例について図９を用いて説明する。なお、上記第１〜第４の参考例、あるいは第１の実施例と同一構成部品については同一符号を付して、その説明を省略する。
【００３３】
先端パイプの２８が延長管２９側のパイプＡ４６とホース２６側パイプＢ４７が一定の角度（θ３）を持った湾曲形状で形成されており、アタッチメント３０の吸込口３１と接続口３４の係合リブＦ４８、係合リブＧ４９がそれぞれパイプＡ４６とパイプＢ４７に形成されている。
【００３４】
上記構成による作用は以下の通りである。
【００３５】
先端パイプ２８にアタッチメント３０取り付けた時にアタッチメント３０とパイプＡ４６、パイプＢ４７によって略三角形の空間Ｂ５０が形成され、この空間Ｂ５０に指を入れてアタッチメント３０の着脱が行え、使用性が向上するものである。
【００３６】
（参考例６）
次に本発明の第６の参考例について図１０を用いて説明する。なお、上記第１〜第５の参考例、あるいは第１の実施例と同一構成部品については同一符号を付して、その説明を省略する。
【００３７】
先端パイプの２８が延長管２９側のパイプＡ４６とホース２６側パイプＢ４７がほぼ直線状に形成されており、アタッチメント３０の吸込口３１と接続口３４の係合リブＦ４８、係合リブＧ４９がそれぞれパイプＡ４６とパイプＢ４７に形成されている。
【００３８】
上記構成による作用は以下の通りである。
【００３９】
パイプＡ４６、パイプＢ４７が略直線状に形成されており、また、先端パイプ２８にアタッチメント３０取り付けた時にアタッチメント３０とパイプＡ４６、パイプＢ４７との隙間が小さため、延長管２９をほぼ床面と平行（床面高さ）で操作することが可能になり、ベッドの下など狭い高さのより奥の位置まで延長管２９を挿入でき、より操作性の向上が図れるものである。
する。
【００４０】
【発明の効果】
本発明によれば、掃除機本体、ホース、延長管などの外郭からのアタッチメントの突出代が小さいため、掃除中に机や壁などにあたりにくくなり、机や壁などに傷をつける恐れが少なくなり、また、アタッチメントが保持部から外れることが少なくなる。また、吸込口の長辺面に指が引掛けやすく、アタッチメントを取り外し易くなり、使用性の向上が図れるとともに、被掃除面への傷付き防止が図れ、さらには、アタッチメントの吸込口への突っかかりが防止でき、さらなる使用性の向上が図れるもので、その効果は大なるものがある。
【図面の簡単な説明】
【図１】  本発明における第１の参考例を示す電気掃除機の全体斜視図
【図２】  同電気掃除機の要部側面図
【図３】  同電気掃除機の保持体と保持部の要部斜視図
【図４】  図２のＡ−Ａ断面図
【図５】  本発明における第２の参考例を示す電気掃除機の要部側面図
【図６】  本発明における第３の参考例を示す電気掃除機の保持体の斜視図
【図７】  本発明における第１の実施例を示す電気掃除機の要部側面図
【図８】  本発明における第４の参考例を示す電気掃除機の要部断面図
【図９】  本発明における第５の参考例を示す電気掃除機の要部断面図
【図１０】  本発明における第６の参考例を示す電気掃除機の要部側面図
【図１１】  従来の電気掃除機の全体斜視図
【図１２】  同電気掃除機のアタッチメント取付け部の斜視図
【図１３】  従来の電気掃除機の他のアタッチメント取付け部の斜視図
【図１４】  従来の電気掃除機の他のアタッチメント取付け部の部分断側面図
【符号の説明】
２８  先端パイプ
２９  延長管
３０  アタッチメント
３１  吸込口
３４  接続口
３５  保持体
３７  係合リブＤ
３８  保持部
３９  長辺面
４０  空間Ａ
４１  接続体Ａ
４２  接続体Ｂ
４３  接続体Ｃ
４４  前保持部
４５  凹部
４６  パイプＡ
４７  パイプＢ
４８  保持リブＦ
４９  保持リブＧ
５０  空間Ｂ
【図１】
0003870795.tif 000002
【図２】
0003870795.tif 000003
【図３】
0003870795.tif 000004
【図４】
0003870795.tif 000005
【図５】
0003870795.tif 000006
【図６】
0003870795.tif 000007
【図７】
0003870795.tif 000008
【図８】
0003870795.tif 000009
【図９】
0003870795.tif 000010
【図１０】
0003870795.tif 000011
【図１１】
0003870795.tif 000012
【図１２】
0003870795.tif 000013
【図１３】
0003870795.tif 000014
【図１４】
0003870795.tif 000015